(57)【要約】【課題】  断面が略楕円形状のベントの開口面積を調整する部材が脱落することなく、安心して装用することができる耳穴形補聴器を提供する。【解決手段】  断面が略楕円形状のベントを有する耳穴形補聴器であって、ベント４の外界側開口部４ａから、ベント４の開口面積を調整する部材としてシリコンチューブ７を嵌挿した。また、ベント４の鼓膜側開口部４ｂの短径方向の開口幅Ｂを、外界側開口部４ａの短径方向の開口幅Ａに比べて狭くした。【選択図】        図２
2009027317.tif 000002
【特許請求の範囲】
【請求項１】
断面が略楕円形状のベントを有する耳穴形補聴器であって、前記ベントの外界側開口部から、前記ベントの開口面積を調整する部材として弾性部材を嵌挿することを特徴とする耳穴形補聴器。
【請求項２】
前記ベントの鼓膜側開口部の短径方向の開口幅が、前記外界側開口部の短径方向の開口幅に比べて狭い請求項１記載の耳穴形補聴器。
【請求項３】
前記ベントの鼓膜側開口部に、前記弾性部材の落下防止手段を設けた請求項１記載の耳穴形補聴器。
【請求項４】
前記弾性部材は、シリコンチューブである請求項１、２又は３記載の耳穴形補聴器。
【発明の詳細な説明】
【技術分野】
【０００１】
本発明は、断面が略楕円形状のベントを有する耳穴形補聴器に関する。
【背景技術】
【０００２】
従来から、耳穴形補聴器を装用した際のこもり感を解消するために、シェルにベントを設けている。そして、ベントの断面形状を略楕円形状にすることが知られている。略楕円形状にすると、断面形状が円形状の場合と比べて、シェル内部を有効に活用することができ、また断面積を大きくし易いので、こもり感を解消する効果が大きくなるからである。
【発明の開示】
【発明が解決しようとする課題】
【０００３】
しかし、ベントの断面形状を略楕円形状にすると、断面積を大きくすることができるが、音漏れが大きくなるので、ハウリングが生じ易くなる。このハウリングは、信号処理で解消することができる場合があるものの、ゲインに制限をしなければならないので、装用者の聞こえ具合によってはゲインに制限を掛けられない場合がある。
【０００４】
そのような場合には、ベントに詰め物をして、ベント自体の開口面積を小さくしてハウリングを解消することができる。しかし、断面形状が略楕円形状のベントの場合は、その形状が装用者によって千差万別なので、専用の詰め物を用意することができず、しかも詰めた物が鼓膜側に落下してしまう場合がある。
【０００５】
本発明は、従来の技術が有するこのような問題点に鑑みてなされたものであり、その目的とするところは、断面が略楕円形状のベントの開口面積を調整する部材が脱落することなく、安心して装用することができる耳穴形補聴器を提供しようとするものである。
【課題を解決するための手段】
【０００６】
上記課題を解決すべく請求項１に係る発明は、断面が略楕円形状のベントを有する耳穴形補聴器であって、前記ベントの外界側開口部から、前記ベントの開口面積を調整する部材として弾性部材を嵌挿するものである。
【０００７】
請求項２に係る発明は、請求項１記載の耳穴形補聴器において、前記ベントの鼓膜側開口部の短径方向の開口幅が、前記外界側開口部の短径方向の開口幅に比べて狭くしたものである。
【０００８】
請求項３に係る発明は、請求項１記載の耳穴形補聴器において、前記ベントの鼓膜側開口部に、前記弾性部材の落下防止手段を設けたものである。
【０００９】
請求項４に係る発明は、請求項１、２又は３記載の耳穴形補聴器において、前記弾性部材をシリコンチューブとした。
【発明の効果】
【００１０】
請求項１に係る発明によれば、ベントの開口面積を調整する部材として弾性部材を嵌挿するので、弾性部材の弾性力により、弾性部材が鼓膜側に脱落することがなく、安心して装用することができる。
【００１１】
請求項２に係る発明によれば、鼓膜側開口部の短径方向の開口幅が、外界側開口部の短径方向の開口幅に比べて狭いので、鼓膜側開口部から嵌挿された弾性部材が鼓膜側に脱落することがない。
【００１２】
請求項３に係る発明によれば、鼓膜側開口部に落下防止手段を設けたので、弾性部材の鼓膜側への脱落を確実に防止することができる。
【００１３】
請求項４に係る発明によれば、シリコンチューブを潰してベントに嵌挿するだけなので、着脱が自在で、且つベントの開口面積の調整を容易に行うことができる。
【発明を実施するための最良の形態】
【００１４】
以下に本発明の実施の形態を添付図面に基づいて説明する。ここで、図１は本発明に係る耳穴形補聴器の斜視図、図２はベントの第１実施の形態の説明図、図３はベントの第２実施の形態の説明図、図４はベントの第３実施の形態の説明図である。
【００１５】
本発明に係る耳穴形補聴器は、図１（ａ）に示すように、樹脂製のシェル１とフェースプレート２でケース体３を形成し、ケース体３の内部にはボタン形の電池、マイクロホン、補聴処理部やイヤホンなどの補聴器を構成する電気部品が設置されている。また、シェル１には、断面が略楕円形状のベント４が形成されている。フェースプレート２には、各種のスイッチ類５や回動自在な電池ホルダ６などが取り付けられている。
【００１６】
シェル１は、光造形法で作製される。シェル１の外周に形成される断面が略楕円形状のベント４は、ＣＡＤ（Computer Aided Design）により、その位置や形状が設定される。ベント４の断面形状は、装用者の外耳道の形状により様々であるからである。そして、ハウリングが生じる場合には、図１（ｂ）に示すように、ベント４の外界側開口部４ａからシリコンチューブ７を潰してベント４に嵌挿することにより、ベント４の開口面積を小さくしている。
【００１７】
図２はベントの第１実施の形態を示し、ベント４の鼓膜側開口部４ｂの短径方向の開口幅Ｂが、外界側開口部４ａの短径方向の開口幅Ａに比べて狭くなっている場合である。但し、外界側開口部４ａの開口面積と鼓膜側開口部４ｂの開口面積は、ほぼ同じになっている。鼓膜側開口部４ｂの短径方向の開口幅Ｂが外界側開口部４ａの短径方向の開口幅Ａに比べて狭くなっているので、外界側開口部４ａから潰されて嵌挿されたシリコンチューブ７が鼓膜側開口部４ｂから鼓膜側に脱落することはない。
【００１８】
図３はベントの第２実施の形態を示し、ベント1４の鼓膜側開口部１４ｂに、シリコンチューブ７の落下防止手段として、突起部１５を設けた。外界側開口部１４ａと鼓膜側開口部１４ｂの形状は、ほぼ同一である。突起部１５は複数設けることもできる。突起部１５を鼓膜側開口部１４ｂに設けることにより、外界側開口部１４ａから潰されて嵌挿されたシリコンチューブ７が突起部１５に当接するので、シリコンチューブ７が鼓膜側開口部１４ｂから鼓膜側に脱落することはない。
【００１９】
図４はベントの第３実施の形態を示し、ベント２４の鼓膜側開口部２４ｂに、シリコンチューブ７の落下防止手段として、ストッパ２５を設けた。外界側開口部２４ａと鼓膜側開口部２４ｂの形状は、ほぼ同一である。ストッパ２５は、鼓膜側開口部２４ｂに所定の開口面積が形成されるのであれば、１つの柵でも複数の柵でもよく、また格子状であってもよい。ストッパ２５を鼓膜側開口部２４ｂに設けることにより、外界側開口部２４ａから潰されて嵌挿されたシリコンチューブ７がストッパ２５に当接するので、シリコンチューブ７が鼓膜側開口部２４ｂから鼓膜側に脱落することはない。
【００２０】
このように、鼓膜側開口部４ｂの開口幅Ｂが外界側開口部４ａの開口幅Ａに比べて狭くなっているベント４、鼓膜側開口部１４ｂに突起部１５を設けたベント１４、または鼓膜側開口部２４ｂに棚状や格子状などのストッパ２５を設けたベント２４に、シリコンチューブ７を嵌挿することにより、こもり感を解消し、且つハウリングを低減した耳穴形補聴器を構成することができる。これにより、外耳道の形状や難聴度合いの異なる各装用者にとって最良な補聴状態を実現することができる。
【産業上の利用可能性】
【００２１】
本発明によれば、ハウリングを低減するためのシリコンチューブが着脱自在で、且つ鼓膜側に脱落する虞がないので、安心して装用することができるため、信頼性が向上して耳穴形補聴器の需要拡大に寄与する。
【図面の簡単な説明】
【００２２】
【図１】本発明に係る耳穴形補聴器の斜視図で、（ａ）はシリコンチューブ嵌挿前、（ｂ）はシリコンチューブ嵌挿後
【図２】ベントの第１実施の形態の説明図で、（ａ）は外界側開口部の概要正面図、（ｂ）は概要側面図、（ｃ）は鼓膜側開口部の概要正面図
【図３】ベントの第２実施の形態の説明図で、（ａ）は外界側開口部の概要正面図、（ｂ）は概要側面図、（ｃ）は鼓膜側開口部の概要正面図
【図４】ベントの第３実施の形態の説明図で、（ａ）は外界側開口部の概要正面図、（ｂ）は概要側面図、（ｃ）は鼓膜側開口部の概要正面図
【符号の説明】
【００２３】
１…シェル、２…フェースプレート、３…ケース体、４，１４，２４…ベント、４ａ，１４ａ，２４ａ…外界側開口部、４ｂ，１４ｂ，２４ｂ…鼓膜側開口部、７…シリコンチューブ、１５…突起部、２５…ストッパ、Ａ，Ｂ…開口幅。
【図１】
2009027317.tif 000003
【図２】
2009027317.tif 000004
【図３】
2009027317.tif 000005
【図４】
2009027317.tif 000006